(57)【要約】【課題】錐状毛束群及び垂直に植設された毛束を有する歯ブラシであって、歯の咬合面及び歯間部の清掃能力、歯面のブラッシングをする能力、歯間乳頭部のマッサージする能力に加えて、最奥の臼歯の遠心面の清掃能力にも優れた歯ブラシを提供すること。【解決手段】植毛台の植毛面の先端部に、植毛台幅方向中央部において長手方向に隣り合う２つの毛束と幅方向に隣り合う２つの毛束とからなる４つの毛束を中心方向に傾斜させて植設した四角錐状毛束群を設け、該四角錐状毛束群の植毛台長手方向基端側に隣接して、植毛面に垂直に植設され且つ前記四角錐状毛束群の高さよりも低い複数の垂直毛束からなる垂直毛束領域を設けてなることを特徴とする歯ブラシ。【選択図】図４
2014000156.tif 000002
【特許請求の範囲】
【請求項１】
植毛台の植毛面の先端部に、植毛台幅方向中央部において長手方向に隣り合う２つの毛束と幅方向に隣り合う２つの毛束とからなる４つの毛束を中心方向に傾斜させて植設した四角錐状毛束群を設け、該四角錐状毛束群の植毛台長手方向基端側に隣接して、植毛面に垂直に植設され且つ前記四角錐状毛束群の高さよりも低い複数の垂直毛束からなる垂直毛束領域を設けてなることを特徴とする歯ブラシ。
【請求項２】
前記植毛台は平板先細形状である、請求項１に記載の歯ブラシ。
【請求項３】
前記植毛台の厚みが３．６〜４．６ｍｍである、請求項１又は２に記載の歯ブラシ。
【請求項４】
歯ブラシ首部と柄部の連結部において、柄部の軸が背側に反り、且つ首部の軸が腹側に反り、歯ブラシ首部から柄部にかけての形状がＳ字形状である、請求項１〜３の何れか１項に記載の歯ブラシ。
【請求項５】
前記柄部の少なくとも首部寄りの親指把持部に、ゴム製の樹脂成形部を一体的に形成してなる、請求項１〜４の何れか１項に記載の歯ブラシ。
【請求項６】
前記四角錐状毛束群を構成する各毛束は、ポリトリメチレンテレフタレート製のフィラメントよりなる、請求項１〜５の何れか１項に記載の歯ブラシ。
【請求項７】
前記垂直毛束領域の植毛台基端側に隣接して、植毛台の長手方向に隣り合う２つの毛束と、これら２つの毛束よりも植毛台の幅方向辺縁側に植設された１つの毛束よりなる３つの毛束を中心方向に傾斜させて植設した三角錐状毛束群を少なくとも植毛台幅方向両側の辺縁部にそれぞれ位置させた第一の三角錐状毛束群領域を設け、前記第一の三角錐状毛束群領域の植毛台基端側に隣接して、植毛面に垂直に植設された複数の垂直毛束からなる第二の垂直毛束領域を設け、該第二の垂直毛束領域の基端側に隣接して、植毛台の長手方向に隣り合う２つの毛束と、これら２つの毛束よりも植毛台の幅方向辺縁側に植設された１つの毛束よりなる３つの毛束を中心方向に傾斜させて植設した三角錐状毛束群を少なくとも植毛台幅方向両側の辺縁部にそれぞれ位置させた第二の三角錐状毛束群領域を設けてなる、請求項１〜６の何れか１項に記載の歯ブラシ。
【発明の詳細な説明】
【技術分野】
【０００１】
本発明は、口腔内最奥にある臼歯の遠心面の清掃能力を向上させた歯ブラシに関する。
【背景技術】
【０００２】
この種の歯ブラシは、従来、植毛台及び毛束の体積により、口腔奥のせまい部位に歯ブラシヘッド部をあてがうのが困難であり、さらに最奥の臼歯の遠心面まで毛束をアプローチするためには、必然的に植毛台の先端に植設する毛束を構成するフィラメントを長く設計せざるをえなかった（特許文献１参照）。しかし、フィラメントを長く設計した場合、毛束の剛性が低下することとなり、ブラッシングの際に清掃面にうまく力が加わらず、目的の箇所をうまくブラッシングできなかったり、毛束の毛先が開きやすくなることにより、歯ブラシの寿命短縮を招いたりしていた。
【０００３】
一方、隣り合う複数の毛束を中心方向に傾斜させ、これら複数の毛束が全体として錐状を成すように植設することにより、錐状毛束群を形成させた歯ブラシも提案されている（特許文献２参照）。このような錐状毛束群を形成することにより、該錐状毛束群の先端部である清掃面の剛性が高く、且つ毛束の毛先も広がりにくい歯ブラシを作製することが可能である。この錐状毛束群を備えた歯ブラシを使用すれば、咬合面や歯間部の清掃を効率よく行うことができる。その反面、これら錐状の毛束群用の植毛穴は、植毛台を成形した後に型抜きする際に、斜め方向に挿入されたピンを垂直に引き抜くため、植毛台の植毛穴周辺の成型体にダメージを生じやすく、成形時における植毛穴のダメージリスクが高いことが課題であった。また、錐状毛束群は、歯間部の清掃には適しているものの、歯面への接触面積が小さいことから毛束の清掃面が歯牙面にフィットしづらく、唇側、頬側及び舌側における歯面のブラッシングには向かなかった。更に、錐状毛束群は、剛性が高すぎることから、歯間乳頭部や歯茎のマッサージにも向いていなかった。
【０００４】
そこで、植毛台幅方向中央に錐状毛束群を植毛台長手方向に沿って複数設け、更にその幅方向両脇の辺縁部に垂直毛束を並列して長手方向に沿って植設したような歯ブラシも提案されている（特許文献３参照）。錐状毛束群により咬合面や歯間部のブラッシングを効果的に行うことが可能なのに加えて、垂直毛束を植設したことにより、唇側、頬側及び舌側における歯面のブラッシングも効果的に行うことができる。しかし、やはり錐状毛束群は歯の隙間などの清掃能力が高い一方で、剛性が高いことから、このような歯ブラシでは口腔内の狭い空間にアプローチすることが難しく、口腔最奥に存する臼歯の遠心面をブラッシングすることは極めて困難であった。そこで、歯の咬合面及び歯間部の清掃能力、唇側、頬側及び舌側における歯面のブラッシングをする能力、歯間乳頭部のマッサージする能力に加えて、最奥の臼歯の遠心面の清掃能力も同時に兼ね備えた歯ブラシが求められていた。
【先行技術文献】
【特許文献】
【０００５】
【特許文献１】特開２００２−３２５６３２号公報
【特許文献２】特開昭５９−０３４２０９号公報
【特許文献３】実開平０２−００９１２８号公報
【発明の概要】
【発明が解決しようとする課題】
【０００６】
上記のような事情に鑑み、本発明の目的とするところは、歯の咬合面及び歯間部の清掃能力、歯面のブラッシングをする能力、歯間乳頭部のマッサージする能力に加えて、最奥の臼歯の遠心面の清掃能力にも優れた歯ブラシを提供することにある。
【課題を解決するための手段】
【０００７】
発明者らは、かかる課題を解決すべく鋭意検討を行った結果、植毛台の植毛面の先端部における隣り合った４つの毛束を中心方向に傾斜させて植設した四角錐状毛束群を設け、該四角錐状毛束群の植毛台長手方向基端側に隣接して、前記四角錐状毛束群より高さが低く、植毛面に垂直に植設された複数の垂直毛束からなる垂直毛束領域を設けることにより、前記四角錐状毛束群により効率的に最奥の臼歯の遠心面の清掃を行い、咬合面や歯間部も有効に清掃可能であり、かつ、前記垂直毛束領域により歯面の清掃も効果的に行うことが可能であることを見出し、本発明を完成するに至った。
【０００８】
即ち、本発明の要旨は以下の通りである。
〔１〕植毛台の植毛面の先端部に、植毛台幅方向中央部において長手方向に隣り合う２つの毛束と幅方向に隣り合う２つの毛束とからなる４つの毛束を中心方向に傾斜させて植設した四角錐状毛束群を設け、該四角錐状毛束群の植毛台長手方向基端側に隣接して、植毛面に垂直に植設され且つ前記四角錐状毛束群の高さよりも低い複数の垂直毛束からなる垂直毛束領域を設けてなることを特徴とする歯ブラシ、
〔２〕前記植毛台は平板先細形状である、前記〔１〕に記載の歯ブラシ、
〔３〕前記植毛台の厚みが３．６〜４．６ｍｍである、前記〔１〕又は（２）に記載の歯ブラシ、
〔４〕歯ブラシ首部と柄部の連結部において、柄部の軸が背側に反り、且つ、首部の軸が腹側に反り、歯ブラシ首部から柄部にかけての形状がＳ字形状である、前記〔１〕〜（３）の何れかに記載の歯ブラシ、
〔５〕前記柄部の少なくとも首部寄りの親指把持部に、ゴム製の樹脂成形部を一体的に形成してなる、前記〔１〕〜（４）の何れかに記載の歯ブラシ、
〔６〕前記四角錐状毛束群を構成する各毛束は、ポリトリメチレンテレフタレート製のフィラメントよりなる、前記〔１〕〜（５）の何れかに記載の歯ブラシ、
〔７〕前記垂直毛束領域の植毛台基端側に隣接して、植毛台の長手方向に隣り合う２つの毛束と、これら２つの毛束よりも植毛台の幅方向辺縁側に植設された１つの毛束よりなる３つの毛束を中心方向に傾斜させて植設した三角錐状毛束群を少なくとも植毛台幅方向両側の辺縁部にそれぞれ位置させた第一の三角錐状毛束群領域を設け、前記第一の三角錐状毛束群領域の植毛台基端側に隣接して、植毛面に垂直に植設された複数の垂直毛束からなる第二の垂直毛束領域を設け、該第二の垂直毛束領域の基端側に隣接して、植毛台の長手方向に隣り合う２つの毛束と、これら２つの毛束よりも植毛台の幅方向辺縁側に植設された１つの毛束よりなる３つの毛束を中心方向に傾斜させて植設した三角錐状毛束群を少なくとも植毛台幅方向両側の辺縁部にそれぞれ位置させた第二の三角錐状毛束群領域を設けてなる、前記〔１〕〜（６）の何れかに記載の歯ブラシ、
である。
【発明の効果】
【０００９】
本発明によれば、四角錐状毛束群を植毛台の先端部に設け、その植毛台長手方向基端側に隣接して、四角錐状毛束群よりも毛丈の低い錐状毛束群を設けたことにより、歯ブラシの清掃面が最奥の臼歯の遠心面にフィットしやすくなり、一般的に清掃が困難とされる最奥の臼歯の遠心面の清掃性を飛躍的に向上させることができる。そして四角錐状毛束群は４つの毛束を中心方向に傾斜させて構成しているので剛性が高く、咬合面や歯間部のブラッシングにも効果的である。更には、この四角錐状毛束群は４つの毛束を中心方向に傾斜させて構成している構造上、毛束が広がりにくく、歯ブラシの寿命延長の効果も期待できる。一方、錐状毛束群はブラッシングの際に歯との接触面積が小さいため、唇側、頬側及び舌側における歯面のブラッシングには不向きであるが、四角錐状毛束群の植毛台長手方向基端側に垂直毛束領域を設けたことにより、唇側、頬側及び舌側における歯面のブラッシングや歯間乳頭部のマッサージも効果的に行うことができる。
【００１０】
ここで、植毛台を平版先細形状にすることにより歯ブラシヘッド部の体積が小さくなり、歯ブラシヘッド部を口腔奥の歯にもアプローチすることが更に容易となり、ひいては最奥の臼歯の遠心面のブラッシングも可能となる。
【００１１】
錐状毛束群を備えた歯ブラシの植毛台を成形する際における最大の課題点は、植毛穴の軸方向の向きがすべて同一ではないため、成形後に金型を型抜きをする際に、いわゆる「無理抜き」となり、植毛穴部分にダメージを与えやすい点にある。しかし植毛台の厚みを３．６〜４．６ｍｍと、比較的薄く成形することにより、平線を用いて毛束をしっかりと植設し、且つ、植毛台の植毛穴部分にダメージを与えることなく、型抜きをすることが可能となる。そして、植毛台を薄く成形したことにより、成形後の型抜きの際のダメージリスクを低下させることができるだけでなく、歯ブラシヘッド部の体積が小さくなることで、口腔奥に存する大臼歯のブラッシングも容易になる。
【００１２】
更に、歯ブラシ首部と柄部の連結部において、柄部の軸が背側に反り、且つ、首部の軸が腹側に反り、歯ブラシ首部から柄部にかけての形状がＳ字形状となるような構造にすることにより、手前の臼歯等が邪魔になることなく、最奥の臼歯の遠心面をブラッシングすることが容易になる。
【００１３】
歯ブラシ柄部の少なくとも首部寄りの親指把持部に、ゴム製の樹脂成形部を一体的に形成することにより、清掃性が高いとされる小さなストロークでのブラッシングを、容易にすることができる。
【００１４】
四角錐状毛束群は、最奥の臼歯の遠心面のブラッシングだけでなく、咬合面や歯間部のブラッシングにも好適であり、高い剛性だけでなく、高い耐久性も有していればより好ましい。そこで、四角錐状毛束群を構成する毛束のフィラメントの材質は、使用により変形しやすくて耐久性に乏しいナイロンではなく、耐久性の高いポリトリメチレンテレフタレート（以下、ＰＴＴと略記する）とするのがより好ましい。
【００１５】
更に、前記垂直毛束領域の植毛台基端側に隣接して、植毛台の長手方向に隣り合う２つの毛束と、これら２つの毛束よりも植毛台の幅方向辺縁側に植設された１つの毛束よりなる３つの毛束を中心方向に傾斜させて植設した三角錐状毛束群を少なくとも植毛台幅方向両側の辺縁部にそれぞれ位置させた第一の三角錐状毛束群領域を設け、前記第一の三角錐状毛束群領域の植毛台基端側に隣接して、植毛面に垂直に植設された複数の垂直毛束からなる第二の垂直毛束領域を設け、該第二の垂直毛束領域の基端側に隣接して、植毛台の長手方向に隣り合う２つの毛束と、これら２つの毛束よりも植毛台の幅方向辺縁側に植設された１つの毛束よりなる３つの毛束を中心方向に傾斜させて植設した三角錐状毛束群を少なくとも植毛台幅方向両側の辺縁部にそれぞれ位置させた第二の三角錐状毛束群領域を設けることにより、唇側、頬側並びに舌側における歯面をブラッシングする際における歯間部の清掃能力の向上、及び咬合面の清掃能力の向上を図ることができる。
【図面の簡単な説明】
【００１６】
【図１】（ａ）は、本発明における歯ブラシヘッド部を腹側から見た平面図、          （ｂ）は、本発明における歯ブラシヘッド部の斜視図。
【図２】歯ブラシを横から見た側面図。
【図３】歯ブラシの柄部を腹側から見た平面図。
【図４】（ａ）は、本発明における歯ブラシの変形例のヘッド部を腹側から見た平面図、          （ｂ）は、本発明における歯ブラシの変形例のヘッド部の斜視図。
【発明を実施するための形態】
【００１７】
以下に、本発明の実施形態を添付図面に基づき説明する。
【００１８】
本発明に係る歯ブラシ１は、図１に示すように、植毛台１２の植毛面１３先端部において、植毛台幅方向中央部において長手方向に隣り合う２つの毛束と幅方向に隣り合う２つの毛束とからなる４つの毛束を中心方向に傾斜させて植設した四角錐状毛束群１４を一つのみ構成し、その基端側に、植毛面１３に垂直に四角錐状毛束群１４よりも毛丈の短い複数の毛束を植設した、垂直毛束領域１５を設けたものである。
【００１９】
四角錐状毛束群１４を構成する４つの毛束を植設する際において、それぞれの毛束の傾斜角は、植毛面に垂直な状態から１〜５度傾斜させるのが望ましく、３度がより好ましい。ここで、４つの毛束の傾斜角は同じになるように設定するとよいが、これに限定されるものではなく、もし４つの毛束の傾斜角がそれぞれ異なっていても、４つの毛束により四角錐の形状が構成されればよい。
【００２０】
四角錐状毛束群１４を構成する毛束は、その毛束に使用されるフィラメントがすべて同じ長さとなるように成形されていてもよいが、四角錐状毛束群１４の先端部の形状は、図２に示すように、側面から見た際に山切り状となるように成形するのが望ましい。こうすることにより、四角錐状毛束群１４でブラッシングする際において、フィラメントの毛先部と歯面との接触面積を平切りの場合に比べ大きく確保することができ、清掃効果の向上を図ることができる。
【００２１】
四角錐状毛束群１４における、植毛台１２幅方向中央部において長手方向に隣り合う２つの毛束を植設するための植毛穴の中心どうしの間隔は、２．８〜４．８ｍｍ、より好ましくは３．４〜４．２ｍｍ、更に好ましくは３．６〜４．０ｍｍがよい。また、植毛台１２幅方向中央部において幅方向に隣り合う２つの毛束を植設するための植毛穴の中心どうしの間隔は、２．８〜４．８ｍｍ、より好ましくは３．４〜４．２ｍｍ、更に好ましくは３．６〜４．０ｍｍがよい。
【００２２】
四角錐状毛束群１４は、最奥の臼歯の遠心面や歯の咬合面を効果的にブラッシングするために設けたものであり、特に最奥の臼歯の遠心面をブラッシングすることを考慮すると、ある程度の長さを有していることが好ましく、植毛面１３からの高さは９〜１２ｍｍが望ましい。本発明における最奥の臼歯とは、第３大臼歯、いわゆる親知らずが生えている場合には、第３大臼歯をいい、第３大臼歯が生えていない場合には、第２大臼歯のことを指す。
【００２３】
四角錐状毛束群１４を構成する毛束に使用されるフィラメントの太さは、５〜１０ミルであることが好ましく、７〜８ミルがより好ましい。材質は、ナイロン等の、一般的に歯ブラシのフィラメントに使用される材質であってもよいが、四角錐状毛束群１４は最奥の臼歯の遠心面及び歯の咬合面のブラッシングをおこなうことが主な目的であることを鑑みれば、優れた耐久性を有するＰＴＴであることがより好ましい。
【００２４】
四角錐状毛束群１４の植毛台長手方向基端側に隣接し、植毛面１３に垂直に植設した垂直毛束領域１５を設けるが、もしこの垂直毛束領域１５における毛束が長ければ、四角錐状毛束群１４で最奥の臼歯の遠心面をブラッシングする際に、ヘッド部１１を口腔奥まで挿入するのが困難になる。つまり、垂直毛束領域１５における毛束は、四角錐状毛束群１４の植毛面１３からの高さよりも低く設定されることが望ましく、垂直毛束領域１５と四角錐状毛束群１４の植毛面１３からの高さの差は、０．８〜２．０ｍｍが好ましく、０．８〜１．５ｍｍがより好ましい。
【００２５】
垂直毛束領域１５を構成する毛束に使用されるフィラメントの材質は、一般的に歯ブラシに使用される素材と同様のものであってもよいが、歯面にフィットしやすくするためにはより低い剛性を有する素材であってもよく、例えばスポンジ素材を使用するのも好適である。フィラメントの太さは、一般的な歯ブラシと同様の太さを有していればよく、５〜１０ミルが好ましい。
【００２６】
最奥の臼歯の遠心面のブラッシングをおこなうことを容易にするため、植毛台１２の形状は、ヘッド部１１を口腔奥まで挿入するのに適した形状であることが好ましく、具体的には、平板先細形状であることが望ましい。より具体的には、四角錐状毛束群１４を構成する、幅方向に隣り合う２つの毛束が存する位置の植毛台幅方向の長さが、植毛台の最大幅の８０％以下となるようにするのが望ましい。
【００２７】
植毛台の厚みは、最奥の臼歯の遠心面をブラッシングする際に、ヘッド部１１を口腔奥まで挿入する必要があるという観点からは、なるべく薄い方が望ましい。また、平線を使用して植毛台１２に毛束を植設するという観点からは、抜毛強度確保のため、ある程度の大きさの平線を使用する必要があり、それにより、ある程度の植毛台１２の厚みも必要になる。一方で、植毛台１２を成形する際、四角錐状毛束群を植設するための４つの植毛穴は、それぞれの軸が異なった方向を向いているため、植毛台を成形した後に型抜きする際にダメージを生じやすいという問題を抱えており、そのリスクは植毛穴の深さを浅く設定するほど軽減される。以上の事情を鑑み、植毛台１２は一般的な歯ブラシよりやや薄めに設定するのが好適であり、３．６〜４．６ｍｍが好ましい。また、植毛台の材質は、例えば、ポリエステル、ポリプロピレン、ナイロン、ポリアセタールが挙げられるが、一般的な歯ブラシの植毛台に使用される樹脂で成形されていればそれでよく、これに限定されない。
【００２８】
また、図２に示すように、歯ブラシ首部２１と柄部２２の連結部２３において、柄部２２の軸が背側２５に反り、且つ、首部２１の軸が腹側２４に反り、歯ブラシ首部２１から柄部２２にかけての形状をＳ字形状とすることにより、最奥の臼歯の遠心面をブラッシングする際にも、毛束、特に四角錐状毛束群１４が前記部位に届きやすくなる。
【００２９】
一般的に歯のブラッシングに際しては、小刻みにブラッシングする方が清掃性は高いといわれている。また、最奥の臼歯の遠心面をブラッシングするに当たっては、ヘッド部１１が口腔奥の狭い空間にある状態でブラッシングすることとなり、必然的に小刻みなブラッシングにならざるを得ない事情もある。小刻みにブラッシングするに際しては、特に把持部のグリップ性が高い方が好適であることから、図３に示すように、柄部２２の首部２１寄りの部位に、ゴム製の樹脂成形部３１を一体成形した構造とするのが好ましい。ここで、ゴム製の樹脂は親指把持部だけでなく、人差し指や小指など、使用に際して親指以外の指により把持されると想定される部分に設けてもよい。
【００３０】
図４の変形例に示すように、歯の咬合面や歯間部のブラッシングをより効率的に行えるようにするために、垂直毛束領域１５の植毛台基端側に隣接して、植毛台の長手方向に隣り合う２つの毛束と、これら２つの毛束よりも植毛台の幅方向辺縁側に植設された１つの毛束よりなる３つの毛束を中心方向に傾斜させて植設した三角錐状毛束群を少なくとも植毛台幅方向両側の辺縁部にそれぞれ位置させた第一の三角錐状毛束群領域４１を設け、前記第一の三角錐状毛束群領域４１の植毛台基端側に隣接して、植毛面に垂直に植設された複数の垂直毛束からなる第二の垂直毛束領域４２を設け、該第二の垂直毛束領域４２の基端側に隣接して、植毛台の長手方向に隣り合う２つの毛束と、これら２つの毛束よりも植毛台の幅方向辺縁側に植設された１つの毛束よりなる３つの毛束を中心方向に傾斜させて植設した三角錐状毛束群を少なくとも植毛台幅方向両側の辺縁部にそれぞれ位置させた第二の三角錐状毛束群領域４３を設けてもよい。
【００３１】
第一及び第二の三角錐状毛束群領域４１、４３に、それぞれ配される３つの毛束を植設する際において、それぞれの毛束の傾斜角は、植毛面に垂直な状態から１〜５度傾斜させるのが望ましく、３度がより好ましい。三角錐状毛束群を構成する３つの毛束の傾斜角はすべて同じになるように構成してもよいし、異なっていてもよいが、少なくとも３つの毛束により三角錐の形状が構成されればよい。
【００３２】
第一及び第二の三角錐状毛束群領域４１、４３それぞれにおいて、植毛台幅方向両側の辺縁部に設けられた２つの三角錐状毛束群の間には、植毛面に垂直に植設された毛束が植設されていてもよいし、毛束が全く植設されていず、植毛台幅方向両側の辺縁部に設けられた２つの三角錐状毛束群が隣接していてもよい。第一及び第二の三角錐状毛束群領域４１、４３それぞれにおいて、植毛台幅方向両側の辺縁部に設けられた２つの三角錐状毛束群の間には、植毛面に垂直に植設された毛束が植設される際には、その垂直に植設された毛束の材質、長さ、及び太さは、垂直毛束領域１５又は第二の垂直毛束領域４２を構成する毛束と同一にすればよいが、これに限定されない。
【００３３】
第一及び第二の三角錐状毛束群領域４１、４３に、それぞれ配される三角錐状毛束群を構成する毛束は、その毛束に使用されるフィラメントがすべて同じ長さとなるように植設されていてもよいが、第一及び第二の三角錐状毛束群領域４１、４３の先端部の形状は、側面から見た際に山切り状となるように毛切するのが望ましい。これにより、唇側、頬側及び舌側における歯面をブラッシングする際に、三角錐状毛束群が鼓形空隙にフィットしやすくなり、歯間部の清掃をより効果的に行うことができる。
【００３４】
第一及び第二の三角錐状毛束群４１、４３の植毛面１３からの高さは、最奥の臼歯の遠心面の清掃性を確保する観点から、四角錐状毛束群１４の植毛面からの高さとの比較においては、同一又はこれよりも低いこと好ましい。また、第一及び第二の三角錐状毛束群４１、４３の植毛面１３からの高さは、唇側、頬側及び舌側をブラッシングする際に鼓形空隙にフィットさせて歯間部の清掃性を向上させたり、咬合面をブラッシングする際に咬合面のくぼみの清掃性を向上させたりできるという観点から、垂直毛束領域１５及び第二の垂直毛束領域４２の植毛面１２からの高さよりも、高いことが望ましい。一方で、垂直毛束領域１５及び第二の垂直毛束領域４２よりも高くしすぎると、唇側、頬側及び舌側のブラッシングの際に、垂直毛束領域１５及び第二の垂直毛束領域４２が歯面に接触しづらくなる。以上の観点から、第一及び第二の三角錐状毛束群４１、４３の植毛面１３からの高さは、９〜１２ｍｍが好ましい。
【００３５】
垂直毛束領域１５及び第二の垂直毛束領域４２は、それぞれ一つの閉じられた領域であっても良いが、植毛台１２の長手方向の長さや植毛穴の大きさによっては、植毛台幅方向両端に２つに分かれて配されても良い。
【００３６】
第一及び第二の三角錐状毛束群４１、４３にそれぞれ配される三角錐状毛束群を構成する毛束に使用されるフィラメントの材質は、例えば、ナイロンが挙げられるが、それ以外でも一般的に歯ブラシに使用されるものでもよいし、ＰＴＴでもよい。フィラメントの太さも、一般的な歯ブラシと同様の太さを有していればよく、５〜１０ミルが好ましい。
【００３７】
第一の三角錐状毛束群領域４１の植毛台基端側に隣接して、植毛面に垂直に植設された複数の垂直毛束からなる第二の垂直毛束領域４２を構成する毛束に使用されるフィラメントの材質は、一般的に歯ブラシに使用される素材と同様のものであってもよいが、歯面にフィットしやすくするためにはより低い剛性を有する素材であってもよく、例えばスポンジ素材を使用するのも好適である。フィラメントの太さも、一般的な歯ブラシと同様の太さを有していればよく、５〜１０ミルが好ましい。また、植毛面１３からの高さは、四角錐状毛束群１４及び、第一並びに第二の三角錐状毛束群領域４１、４３に配される三角錐状毛束群よりも低いことが望ましく、第二の垂直毛束領域４２は第一及び第二の三角錐状毛束群よりも０．８〜２．０ｍｍ低くすることが好ましく、０．８〜１．５ｍｍ低くすることがより好ましい。ここで、第二の垂直毛束領域４２を構成する毛束の材質、太さ及び長さは、垂直毛束領域１５における毛束と同じにしても良い。
【実施例】
【００３８】
以下、実施例に基づき、本発明の実施形態をより具体的に説明するが、本発明がこれらに限定されるものではない。
【００３９】
（実施例１）
植毛台先端に四角錐状毛束群を植設し、その植毛台基端側に垂直毛束領域を設け、四角錐状毛束群の植毛面からの高さを１０．５ｍｍ、垂直毛束領域の植毛面からの高さを９．５ｍｍとしたヘッド部を作製した。
【００４０】
（比較例１）
全ての毛束を植毛台の植毛面に垂直に植設し、植毛台先端の清掃面の長手方向４．４ｍｍの領域における毛束の植毛面からの高さを、基端側から先端側に移行するにつれて徐々に長くなるようにし、基端側、先端側における植毛面からの高さをそれぞれ１０、１１ｍｍとなるように構成した。そして、その領域より基端側に配される毛束はすべて植毛面からの高さが１０ｍｍとなるようなヘッド部を作製した。
【００４１】
（比較例２）
植毛台先端に四角錐状毛束群を植設し、その植毛台基端側に垂直毛束領域を設け、すべての毛束の高さを植毛面から１０ｍｍとなるように構成したヘッド部を作製した。
【００４２】
（比較例３）
植毛台に植毛面からの高さ１０ｍｍの垂直毛束を植設したヘッド部を作製した。
【００４３】
（評価１：清掃性評価試験）
電動歯ブラシのブラッシング圧及び移動速度を一定に保ちながら、固定した顎模型（Ｄ１５−５００Ｈ、ニッシン社、京都）の歯をブラッシングできるように設計されたブラッシングシミュレータを用いた。プラークの代替として咬合チェック用スプレー・オクルード（パスカル社、ＵＳＡ）の着色粉末を顎模型に塗布した。ブラッシング圧は３００ｇに設定し、長手方向のストロークで、ストローク幅２０ｍｍ、振動数１８０ｃｐｍでブラッシングした。その後、顎模型の対象歯の撮影を行い、画像解析を行った。清掃性の評価は、着色粉末の除去率を、下記のように算出することでおこなった。
着色粉末除去率（％）＝［｛（部位面積）−（着色粉末残存面積）｝／（部位面積）］×１００
【００４４】
表１に示すように、各部位における実施例１の着色粉末除去率は、比較例１〜３の各値に比べて高値となった。つまり、本発明の歯ブラシは、従来品に比べ、高い清掃性を有することが確認された。
【００４５】
【表１】
2014000156.tif 000003
【符号の説明】
【００４６】
１、      歯ブラシ
１１、    ヘッド部
１２、    植毛台
１３、    植毛面
１４、    四角錐状毛束群
１５、    垂直毛束領域
２１、    首部
２２、    柄部
２３、    連結部
２４、    腹側
２５、    背側
３１、    ゴム製の樹脂成形部
４１、    第一の三角錐状毛束群領域
４２、    垂直毛束領域
４３、    第二の三角錐状毛束群領域
【図１】
2014000156.tif 000004
【図２】
2014000156.tif 000005
【図３】
2014000156.tif 000006
【図４】
2014000156.tif 000007